(57)【要約】      （修正有）【課題】コンパクトな計時器用ムーブメントを得ることを可能にし、実装が単純で生産が低コストであるような慣性調整機能付きバランスを提供する。【解決手段】計時器用の慣性調整機能付きバランスであって、バランスのピボット軸Ａを定めるハブと、リム１０と、及び正中面Ｐｍの両側の下側平面Ｐｉと上側平面Ｐｓの間に延在するウェブとを有し、ウェブは、リム１０をハブに接続する少なくとも１つのアーム２を有し、少なくとも１つのアーム２には、少なくとも１つの慣性ブロック５を適した位置に受け保持するように構成するハウジング３が設けられている。少なくとも１つの慣性ブロック５は、表面５２及び裏面５３を有し、表面５２及び裏面５３が上側平面Ｐｓ及び下側平面Ｐｉに実質的にあるようにバランスのアーム２と一体となっている。【選択図】図３
2016045209.tif 000002
【特許請求の範囲】
【請求項１】
計時器用の慣性調整機能付きバランス（１）であって、
当該バランス（１）のピボット軸（Ａ）を定めるハブ（４）と、リム（１０）と、及び正中面（Ｐｍ）の両側の下側平面（Ｐｉ）と上側平面（Ｐｓ）の間に延在するウェブ（１１）とを有し、
前記ウェブ（１１）は、前記リム（１０）を前記ハブ（４）に接続する少なくとも１つのアーム（２）を有し、
前記少なくとも１つのアーム（２）には、少なくとも１つの慣性ブロック（５）を適した位置に受け保持するように構成するハウジング（３）が設けられており、
前記少なくとも１つの慣性ブロック（５）は、表面（５２）及び裏面（５３）を有し、前記表面及び前記裏面が前記上側平面（Ｐｓ）及び前記下側平面（Ｐｉ）に実質的にあるように当該バランス（１）の前記アーム（２）と一体となっている
ことを特徴とするバランス（１）。
【請求項２】
前記少なくとも１つの慣性ブロック（５）の前記表面（５２）及び前記裏面（５３）は、前記上側平面（Ｐｓ）及び前記下側平面（Ｐｉ）に対して０μｍ〜１ｍｍ凹んでいる
ことを特徴とする請求項１に記載のバランス（１）。
【請求項３】
前記少なくとも１つの慣性ブロック（５）の前記表面（５２）及び前記裏面（５３）は、前記上側平面（Ｐｓ）及び下側平面（Ｐｉ）に対して０μｍ〜０．６ｍｍ突出している
ことを特徴とする請求項１に記載のバランス（１）。
【請求項４】
前記少なくとも１つの慣性ブロック（５）は、前記ウェブの正中面（Ｐｍ）にある
ことを特徴とする請求項１に記載のバランス（１）。
【請求項５】
前記ハウジング（３）及び前記少なくとも１つの慣性ブロック（５）は、互いに相補的な形である
ことを特徴とする請求項１に記載のバランス（１）。
【請求項６】
前記少なくとも１つの慣性ブロック（５）は、前記ハウジング（３）内にて所定の保持トルクでクランプされている
ことを特徴とする請求項１に記載のバランス（１）。
【請求項７】
前記少なくとも１つの慣性ブロック（５）は、円筒状である
ことを特徴とする請求項１に記載のバランス（１）。
【請求項８】
前記アーム（２）は、前記正中面（Ｐｍ）において延在する弾性部分（２０）を有し、
この弾性部分（２０）は、前記少なくとも１つの慣性ブロック（５）のアセンブリ時に変形することができる
ことを特徴とする請求項１に記載のバランス（１）。
【請求項９】
前記少なくとも１つの慣性ブロック（５）を軸方向の適した位置に保持するために、前記ハウジング（３）は、前記上側平面（Ｐｓ）及び前記下側平面（Ｐｉ）において、止め（３０）を有する
ことを特徴とする請求項１に記載のバランス（１）。
【請求項１０】
前記少なくとも１つの慣性ブロック（５）は、前記少なくとも１つの慣性ブロック（５）を軸方向の適した位置に保持するために、前記アーム（２）の両側に静置されるように意図された上側ウィング（５４）及び下側ウィング（５５）を前記下側平面（Ｐｉ）及び前記上側平面（Ｐｓ）においてそれぞれ有する
ことを特徴とする請求項１に記載のバランス（１）。
【請求項１１】
前記少なくとも１つの慣性ブロック（５）は、前記バランス（１）の前記アーム（２）の前記ハウジング（３）内に推進される
ことを特徴とする請求項１に記載のバランス（１）。
【請求項１２】
前記アーム（２）及び前記リム（１０）は、同じ厚みを有する
ことを特徴とする請求項１に記載のバランス（１）。
【請求項１３】
請求項１〜１２のいずれかに記載のバランス（１）を有する
ことを特徴とする計時器用ムーブメント。
【請求項１４】
請求項１３に記載のムーブメントを有する
ことを特徴とする計時器。
【発明の詳細な説明】
【技術分野】
【０００１】
本発明は、慣性を調整する手段を有する慣性調整機能付きバランスに関する。
【０００２】
本発明は、さらに、このようなシステムを有する計時器用ムーブメント及びこのようなムーブメントを装備する計時器に関する。
【背景技術】
【０００３】
スイス特許ＣＨ７０５２３８によって、バランスの慣性及び／又は平衡を調整する、クランプされた慣性ブロックを備えたバランスが知られている。このバランスには２つのアームがあり、その各アームには、慣性ブロックのアーバーを適切な位置に受けてクランプするハウジングが設けられている。この慣性ブロックの頭は、バランスの表面に対向するように静置されている。
【０００４】
上記のバランスには、いくつかの課題がある。まず、ムーブメントのアーキテクチャに依存して、慣性ブロックへのアクセスが難しく、慣性調整が複雑になりうる。このことは、調整に伴うコストを増やしてしまう。また、このようなバランスは、比較的大きな場所を占める。慣性ブロックの頭がバランスの凹部にて静置されるからである。これによって、ムーブメントの厚みが大きくなりうる。
【０００５】
また、欧州特許ＥＰ１３５１１０３によって、計時器用ムーブメントのための慣性調整機能付きバランスであって、突出部分がないように慣性ブロックを受けるための凹部がリムに設けられているものが知られている。このことによってバランスの調整が促進されるが、凹部を形成するためには機械加工が必要であり、このことは、比較的困難であり、時間を消費し、高コストである。
【発明の概要】
【発明が解決しようとする課題】
【０００６】
本発明は、これらの既知の技術の様々な課題を克服することを目的とする。
【０００７】
より詳細には、本発明の目的の１つは、コンパクトな計時器用ムーブメントを得ることを可能にする慣性調整機能付きバランスを提供することである。
【０００８】
また、本発明の少なくとも特定の実施形態においては、実装が単純で生産が低コストであるような慣性調整機能付きバランスを提供することが目的である。
【課題を解決するための手段】
【０００９】
これらの目的及び他の目的は、下記によってより明白になり、本発明によって、計時器用の慣性調整機能付きバランスであって、当該バランスのピボット軸を定めるハブと、リムと、及び正中面の両側の下側平面と上側平面の間に延在するウェブとを有し、前記ウェブは、前記リムを前記ハブに接続する少なくとも１つのアームを有し、前記少なくとも１つのアームには、少なくとも１つの慣性ブロックを適した位置に受け保持するように構成するハウジングが設けられているものによって、達成される。
【００１０】
本発明によると、この少なくとも１つの慣性ブロックは、表面と裏面を有し、バランスのアームと一体となっており、これによって、表面と裏面は、上側平面及び下側平面に実質的にある。
【００１１】
本発明の他の有利な変種によると、
−少なくとも１つの慣性ブロックの表面及び裏面は、上側平面及び下側平面に対して０μｍ〜１ｍｍ凹んでいる。
−少なくとも１つの慣性ブロックの表面及び裏面は、上側平面及び下側平面に対して０μｍ〜０．６ｍｍ突出している。
−前記少なくとも１つの慣性ブロックは、ウェブの正中面にある。
−前記ハウジング及び前記少なくとも１つの慣性ブロックは、互いに相補的な形である。
−前記少なくとも１つの慣性ブロックは、ハウジング内にて所定の保持トルクでクランプされている。
−前記少なくとも１つの慣性ブロックは、円筒状である。
−前記アームには、正中面において延在する弾性部分があり、前記弾性部分は、前記少なくとも１つの慣性ブロックのアセンブリ時に変形することができる。
−前記ハウジングは、前記少なくとも１つの慣性ブロックを適した位置に保持するために、上側平面及び下側平面にて止まる。
−前記少なくとも１つの慣性ブロックは、上側及び下側ウィングを有し、これらは、前記少なくとも１つの慣性ブロックを適した位置に保持するために、アームの両側をそれぞれ下側平面及び上側平面にて静置されるように意図されている。
−前記少なくとも１つの慣性ブロックは、バランスアームのハウジング内に押される。
−アームとリムは、同じ厚みを有する。
【００１２】
本発明は、さらに、本発明に係るバランスを有する計時器用ムーブメントに関する。
【００１３】
本発明は、さらに、本発明に係る計時器用ムーブメントを有する計時器に関する。
【００１４】
このようにして、本発明の主題は、上記の異なる機能的及び構造的な態様によって、比較的コンパクトな慣性調整機能付きバランスを提供する。
【００１５】
単に説明用の例（これに制限されない）によって与えられる本発明の特定の実施形態についての以下の説明及び添付図面を読むことで、本発明の他の特徴及び利点をより明白に理解することができるであろう。
【図面の簡単な説明】
【００１６】
【図１】第１の実施形態による本発明に係るバランスの斜視図である。
【図２】第２の実施形態による本発明に係るバランスの斜視図である。
【図３】図１に示した第１の実施形態によるバランスの断面図である。
【図４】図２に示した第２の実施形態によるバランスの断面図である。
【発明を実施するための形態】
【００１７】
以下、図１、２、３及び４を参照しながら、例示的実施形態の１つに係る計時器用ムーブメントを説明する。
【００１８】
したがって、本発明は、計時器用の慣性調整機能付きバランス１に関し、これは、バランス１のピボット軸Ａを定めるハブ４と、リム１０と、正中面Ｐｍの両側の下側平面Ｐｉと上側平面Ｐｓの間に延在するウェブ１１とを有し、ウェブ１１は、リム１０をハブ４に接続する少なくとも１つのアーム２を有し、前記少なくとも１つのアーム２には、少なくとも１つの慣性ブロック５を適した位置にて受け保持するように構成するハウジング３が設けられている。
【００１９】
本発明によると、当該バランスは、凹部１４を有する表面１２と、及び裏面１３とを有し、この裏面１３も凹んでいてもよい。
【００２０】
特定の実施形態によると、リム１０の高さは、ウェブ１１と同一であることができる。この場合、ケースバランス１には凹部がなく、これによって、可能性のある最もコンパクトなバランスを得ることが可能になる。
【００２１】
図示のように、バランス１は、４つのアームを有し、その交点でハブ４を形成する。ハブ４には、バランススタッフ４１を受けるように意図された開口４０が設けられ、したがって、ウェブ１１は、４つのアーム及びハブ４によって形成される。
【００２２】
リム１０は、環状で、アーム２のように突起部がない。これによって、バランス１は、可能なかぎりコンパクトになっている。
【００２３】
図面において観察することができるように、慣性ブロック５は、円筒状であり、表面５２及び裏面５３を有し、本発明の１つの実施形態によると、下側及び上側ウィング５４及び５５を有する。
【００２４】
好ましいことに、慣性ブロック５はそれぞれ、この慣性ブロック５の正中面がウェブ１１の正中面Ｐｍと一致するような動作位置においてハウジング３内でクランプされている。
【００２５】
バランス１は、ハブ４、リム１０、及びリム１０をハブ４に接続するアーム２によって形成される剛性部分を有する。ハウジング３は、一方では、バランス１の剛性部分によって、他方では、弾性変形可能なアーム２０によって限界が定められている。
【００２６】
図示していない本発明の特定の実施形態によれば、バランス１のリム１０は、バランス１のアーム２と同じ厚みを有し、バランス１のアーム２と合流する。このようにして、アーム２とリム１０が平坦な要素を形成する。
【００２７】
本発明によれば、ハウジング３は、アーム２の剛性部分と、及びアーム２の剛性部分と一体となっている弾性部分２０とによって限界が定められており、この弾性部分２０は、ハウジング３の限界を定めるアーム２の剛性部分の方に絶えず戻される。
【００２８】
好ましいことに、ハウジング３の拡張領域において、アーム２には、弾性部分２０の変形を促進するように意図された凹部２１が設けられている。
【００２９】
好ましい実施形態によれば、ハウジング３は、慣性ブロック５と実質的に同じ形である。この実施形態は、慣性ブロック５がバランス１にマウントされた後のバランス１の厚みを制限するので、特に有利である。
【００３０】
この好ましい実施形態では、弾性部分２０は、ウェブの正中面Ｐｍにおいて延在する。凹部２１があるアーム２によって、弾性部分２０の変形が促進される。
【００３１】
バランス１は、さらに、円筒状の調整用慣性ブロック５を有し、この慣性ブロック５には、半月形又は他のいずれの形であってもよい開口５０と、及び慣性ブロック５の位置を調整する推進手段５１とが設けられており、この推進手段５１は、例えば、調整用切り欠き又は当業者に知られている他の手段である。
【００３２】
図１及び３に示す第１の実施形態によると、慣性ブロック５に対して相補的な形のハウジング３及び弾性部分２０は、上側平面Ｐｓ及び下側平面Ｐｉにおけるハウジング３の上側縁及び下側縁の近くに止め３０をそれぞれ有し、これによって、慣性ブロック５の回転を可能にしつつ、正中面Ｐｍにおけるハウジング３内の適した位置に慣性ブロック５を保持する。
【００３３】
これらのハウジング３によって、バランス１のアーム２に完全に埋め込まれた慣性ブロック５を得ることが可能になる。慣性ブロック５がハウジング３内に置かれると、慣性ブロックがハウジング３内においてクランプされ、このようにして、弾性アーム２０の弾性による摩擦によって適した位置に保持される。
【００３４】
図２及び４に示す第２の実施形態によると、慣性ブロック５は、上側及び下側リーフを有し、これらは、アーム２の両側にて、より具体的には、下側平面Ｐｉ及び上側平面Ｐｓそれぞれにおけるハウジング３の両側にて、静置されるように意図されており、これによって、ハウジング３内で慣性ブロック５が回転することを可能にしつつ、ハウジング３内に慣性ブロック５を保持する。
【００３５】
好ましいことに、慣性ブロック５は、バランス１のアーム２と一体となっている。これによって、表面と裏面はそれぞれ、上側平面Ｐｓ及び下側平面Ｐｉ上に実質的にある。「実質的に」とは、第１の実施形態において、表面５２及び裏面５３が、上側平面Ｐｓ及び下側平面Ｐｉに対して０μｍ〜１ｍｍ凹んでおり、第２の実施形態において、慣性ブロック５の上側及び下側ウィングが、上側平面Ｐｓ及び下側平面Ｐｉに対して０μｍ〜０．６ｍｍ突出していることを意味する。このような構成によって、空間的な制約が少なくなった慣性調整機能付きバランスを得ることが可能になる。
【００３６】
この本発明に係るバランス１によって、バランスのアセンブリの方向にかかわらず、特に、バランス１のアーム２に慣性ブロック５をマウントすることが可能になる。一般的には、バランス１がムーブメント内でマウントされた後に、慣性ブロック５へのアクセスの容易性に依存して、バランス１に対して慣性ブロック５をどの向きにしてアセンブリするかどうかを当業者が決める。
【００３７】
本発明は、さらに、本発明に係るバランスを装備する計時器用ムーブメント及び計時器に関する。
【００３８】
これらの異なる本発明の態様によって、計時器用ムーブメントの厚みを減らし、生産が低コストであるコンパクトなバランスを得ることができる。
【００３９】
もちろん、本発明は、図示した例に制限されず、当業者が思い描くことができる様々な変種及び改変が可能である。
【符号の説明】
【００４０】
１  バランス
１０  リム
１１  ウェブ
１２  バランスの表面
１３  バランスの裏面
１４  凹部
２  アーム
２０  弾性部分
２１  凹部
３  ハウジング
３０  止め
４  ハブ
４０  開口
４１  バランススタッフ
５  慣性ブロック
５０  開口
５１  駆動手段
５２  慣性ブロックの表面
５３  慣性ブロックの裏面
５４  慣性ブロックの上側ウィング
５５  慣性ブロックの下側ウィング
Ａ  ピボット軸
Ｐｍ  正中面
Ｐｉ  下側平面
Ｐｓ  上側平面
【図１】
2016045209.tif 000003
【図２】
2016045209.tif 000004
【図３】
2016045209.tif 000005
【図４】
2016045209.tif 000006